(57)【要約】【課題】多機能省エネルギー蛍光ランプを提供する。【解決手段】昼夜を区別する照度センサと、時間を調節するタイマーと、人間を感知する赤外線センサとが、光源としてのランプに一体に備えられた多機能省エネルギー蛍光ランプである。それらのセンサは、光量による照度を計測し、又は、人間の存在を感知する。ランプの周囲の照度が夜間のように一定の基準以下であったり、人間が存在する場合には、それらのセンサは、点灯制御回路を作動させるデータ信号を送ることにより、ランプを自動的に点灯及び消灯する。このランプは、構造が簡単で、低いエネルギー消費を確実にする。さらに、反射笠を付設することによって、ランプから発っせられる熱が遮断され、照明効率を上昇させることができる。このランプは、別体のセンサがなくても、ソケット型の電球が使用されているいかなる場所にも簡便に装着でき、ユーザの便宜の向上を大いに図ることができる。【選択図】図１
2007503087.tif 000002
【特許請求の範囲】
【請求項１】
ランプの点灯及び消灯を制御する点灯制御回路４０を有するソケットボディ１０に複数のＵ字形ランプ３０が固定され、回転固定式ネジ部１１が、電気的なソケット接続により電源が供給されるようにソケットボディ１０に延設されており、
所定のプログラムによりランプの点灯及び消灯を制御する点灯制御回路４０を有するソケットボディ１０には、周囲の照度を感知する照度センサ１２及び点灯時間を調節するタイマー１３が一体に備えられ、
ソケットボディ１０の結合溝に結合するように下部に結合部２１が形成された本体カバー機能を有するベース２０に、四角構造で配置された複数のＵ字形ランプ３０の中央部にランプの光を遮断する高照度反射笠３３で取り囲まれてセンサ支持台３２が所定の長さで延設されており、センサ支持台３２の端部には、人間の動きを感知する赤外線センサ３１が下向きに突出されていること
を特徴とする自動制御省エネルギーランプ。
【請求項２】
ランプ３０を備えるベース２０と、ソケットネジ部１１及び点灯制御回路４０を含むソケットボディ１０とが、一体又は別体で形成されることを特徴とする請求項１に記載の自動制御省エネルギーランプ。
【発明の詳細な説明】
【技術分野】
【０００１】
本発明は、複合センサが一体に備えられた自動制御省エネルギーランプに関し、更に詳しくは、昼夜を区別する照度センサと、時間を調節するタイマーと、人間を感知する赤外線センサとが、光源としての一つのランプに一体に備えられた多機能省エネルギー蛍光ランプ装置であり、これにより、それらのセンサは、光量によって照度を計測し、又は人間の存在を感知して、ランプの周囲の照度が夜間のように一定の基準以下であったり、人間が存在する場合には、それらのセンサーは、点灯制御回路を作動させるデータ信号を送ることにより、ランプが自動的に点灯及び消灯され、その結果、構造が簡単で、エネルギー消費の低減が確実になり、また、反射笠を付設することによって、ランプから発せられる熱が遮断され、照明効率を向上させることができ、別体のセンサがなくても、ソケット型の電球が使用されているいかなる場所にも簡便に装着でき、ユーザの便宜の向上を大いに図ることができるものである。
【背景技術】
【０００２】
一般に、ランプ装置は、電源供給によりランプケースの中に設けられるランプから発せられる光によって、夜間や暗い場所を明るくするための光源である。前記ランプ装置のうちで大抵の白熱電球や、一部の蛍光灯は、それらを取り付ける方式が露出型か壁内埋立型かを問わず、電源を供給するために、ネジが形成されたソケットに互いに結合させて接続されるように形成されており、これが通常の用い方となっている。
【０００３】
ソケット型のランプ装置は、主として、道路や、アパート又は住宅の通路、階段、玄関、又はトイレのような場所で使用されており、これらの場所は人間の出入りが頻繁であるために、無駄な電力の浪費を防止するべく、電灯時間の管理が必要とされている。
【０００４】
この問題点を解決するため、従来の自動制御ランプ装置は、光源としてのランプと、昼と夜と持続的に点灯及び消灯する場所の照度の認識が必要な周囲の明るさを検知するための照度センサ(例えば、ＣｄＳセンサ)と、人間の出入りに従ってランプが点灯及び消灯されるべき場所における対象の存在によって自動的に点灯及び消灯するようにランプを制御する赤外線センサ(例えば、Ｐａｓｓｉｖｅ  Ｉｎｆｒａ−Ｒｅｄ（ＰＩＲ）センサ)とが、必要に応じて、選択的に又は組合わせて含まれている。該センサは、一般的に、本体とカバーとを有する１つのランプケースに、ランプと別体となっている各センサと共に設けられている。
即ち、従来の自動制御ランプ装置は、ランプと共に１つのランプケースに設けられた照度センサ又は人体感知センサ（又は赤外線センサ）が、設定照度又は人間の通行を感知することによってランプに電源の供給を可能としたときに、自動的に点灯し、また、例えば人間の通過のような所定の時間が過ぎると、自動的に消灯し、それによって、ランプの自動制御を確実にしている。
【０００５】
従って、上記した自動制御ランプ装置は、周囲の照度が予め決められた基準よりも低かったり、人間の存在又は動きが感知されない場合は、光を発しないことで、無駄なエネルギーの浪費を防止している。
【０００６】
しかしながら、従来の自動制御ランプ装置は、周囲の照度を感知して、人間の存在に関わらず、設定された時間だけ一定の条件で点灯し、そして消灯されるものである。また、人間を感知する赤外線センサを有するランプ装置は、周囲の明るさにかかわらず、点灯されるものである。さらに、これを改善した１つ又は複数のセンサがランプとは別体のカバーで覆われている別のランプ装置は、専用の装置に使用されるものであるため、その使用は、該専用の装置が備えられていなければ不可能である。従って、このようなランプ装置は、不便であり、交換や保守を行う点で極めて扱い難い。また、ランプは必要に応じて複数の機能が相違するセンサと共にランプケース内に別体で設けられるので、該ランプ装置は、構造が複雑になり、サイズが大きくなり、工程数が増えることによって、生産性が悪くなるという不具合があった。
【発明の開示】
【発明が解決しようとする課題】
【０００７】
本発明は、前述した技術の問題点を解決するためのものであり、昼夜を区別する照度センサと、時間を調節するタイマーと、人間を感知する赤外線センサとが、光源としてのランプに一体に備えられて、これにより、それらのセンサは、光量による照度を計測し、又は人間の存在を感知して、ランプの周囲の照度が夜間のように一定の基準以下であったり、人間が存在する場合には、それらのセンサーは、点灯制御回路を作動させるデータ信号を送ることにより、ランプが自動的に点灯及び消灯される多機能省エネルギー蛍光ランプ装置であり、その結果、構造が簡単で、エネルギー消費の低減が確実になり、また、反射笠を付設することによって、ランプから発っせられる熱が遮断され、照明効率を上昇させることができ、別体のセンサがなくても、ソケット型の電球が使用されているいかなる場所にも簡便に装着でき、ユーザの便宜の向上を大いに図ることができるものである。
【０００８】
上記した目的を達成するための本発明の特徴的な構成は以下の通りであり、発明の要旨を不明確にする無用の周知な機能及び構成に関する詳細な説明は省略し、同一の構成要素には同一の参照符号が付されている。
【課題を解決するための手段】
【０００９】
本発明の１つの形態は、ランプの点灯及び消灯を制御する点灯制御回路を有するソケットボディに複数のＵ字形ランプが固定され、回転固定式ネジ部が、電気的なソケット接続により電源が供給されるようにソケットボディに延設されており、所定のプログラムによりランプの点灯及び消灯を制御する点灯制御回路を有するソケットボディには、周囲の照度を感知する照度センサ及び点灯時間を調節するタイマーとが一体に備えられ、ソケットボディの結合溝に結合するように下部に結合部が形成された本体カバー機能を有するベースに、四角構造で配置された複数のＵ字形ランプ間の中央部にランプの光を遮断する高照度反射笠で取り囲まれてセンサ支持台が、所定の長さで延設されており、センサ支持台の端部には、人間の動きを感知する赤外線センサが下向きに突出されている自動制御省エネルギーランプである。
【発明の効果】
【００１０】
本発明の第１の特徴は、１つのケースにランプとセンサとを別体で設けるのではなく、照度及び人間の動きを複合的に感知して、ランプが自動的に点灯及び消灯されるようにするために、光源としてのランプと、ランプの周辺の光を感知して昼夜を区別する照度センサと、時間を調節するタイマーと、人間を感知する赤外線センサとが一体的に形成されていることである。
【００１１】
また、本発明の第２の特徴は、別のセンサ装置がなくても、ネジが形成されたタイプのソケット電球が使用されるあらゆる場所にも簡便に装着することができるランプ装置を提供し、それにより、ユーザの便宜を大いに向上させることにある。
【発明を実施するための最良の形態】
【００１２】
以下、本発明の好適な実施の形態を、添付図面を参照して詳細に説明する。
【００１３】
図１に示すように、本発明のランプ装置において、回転固定方式の電源接続用のソケットネジ部１１は、一体的に形成されたソケットボディ１０の一端から延出されている。螺旋のネジが、ソケットネジ部１１の外周に形成されており、電源（図に示さず）は、それに回転固定されることによって、電気的に接続される。ソケットボディ１０には、周囲の光を感知する受光センサ（例えば、ＣｄＳセンサ）として機能する照度センサ１２と、ランプの点灯時間を調節するタイマー１３とが設けられている。スイッチング動作手段によってセンサに電源を印加するように、接続端子としてのソケットネジ部１１から電源を供給するための点灯制御回路４０は、ソケットボディ１０に設けられている。点灯制御回路４０は、光を検出する照度センサ１２と、人間を感知する赤外線センサ３１の信号を認識し、ランプ３０の点灯及び消灯を制御する。
点灯制御回路４０は、センサのデータ入力を判断しランプの点灯及び消灯を制御するようにプログラム化されたマイクロプロセッサ４１と、センサのデータを蓄積するメモリ４２と、商用ＡＣ電源を受けてＤＣ電源に変換し整流して供給する電源制御部４３とを有する。点灯制御回路４０には、キー入力部が設けられてもよい。
【００１４】
また、ランプ３０は、Ｕ字形に曲げられた通常の曲管型ランプである。複数のランプ３０（例えば、４つのランプ３０）が、ソケットボディ１０に結合される円盤状のベース２０に、空間活用度の高い四角構造で配列されている。Ｕ字形ランプの間の中央部の端部には、人間の動きを感知する赤外線センサ３１が備えられている。そして、所定の長さのセンサ支持台３２が、ランプ３０の間に設けられ、赤外線センサ３１が、センサ支持台３２の端部に設けられている。センサ支持台３２は、銀やアルミニウムが蒸着によって成膜された高照度反射笠３３で取り囲まれている。高照度反射笠３３は、赤外線センサ３１の誤動作を防止するように、ランプからの光を遮断及び反射するための効率の高い光反射手段として機能する。
【００１５】
他の実施の形態として、図２及び図３に示すように、ランプの保護のために外部の塵埃混入を最少化し、造形美を高めるため、透光性を有するプラスチック製又はガラス製の着脱式のランプカバー３４を備えてもよい。この場合、赤外線センサ３１は、最大の範囲で容易に人間を感知できるように、カバー３４の外部中央から突出している。
【００１６】
センサ支持台３２は、箱体や円筒形で形成されており、４つのランプが対称に整列されたことによって全体の輪郭が四角形となるように、４つのランプとともにモジュールを構成する。センサ支持台３２の端部に形成された赤外線センサ３１は、ランプ３０から発せられる光の方向に赤外線を放出する。また、赤外線センサ３１は、対象により反射される光線が感知されて、左右の感知範囲が最大化される長さで突出している。照度センサ１２は、ランプの直射光線が受光されないように、ランプの上部に位置するソケットボディ１０に一定の深さ（例えば、５ｍｍ）に埋設されるようにすることが好適である。
【００１７】
勿論、本発明によるランプ装置は、従来の白熱電球にも使用できるように、ソケット１１ａを有するボディに、現実の自然色により光を発することが可能な３波長蛍光物質が塗布された真空バルブを設けてもよい。Ｕ字形のランプは、Ｉ字形のランプとしてもよい。さらに、ランプの間の中央部に赤外線センサ３１が備えられるように、少なくとも２つのランプ（対称構造）であればよく、３つ（三角構造）又は４つのランプを備えるのが好適である。
【００１８】
照度センサ１２と赤外線センサ３１とは、それぞれ、点灯制御回路４０に電気的に接続されたモジュールによる通常のセンサ制御回路とともに設けられている。点灯制御回路４０は、所定の電子回路又は集積回路を含む回路基板であり、独自のプログラムを有するマイクロプロセッサ４１の駆動により、周囲の光の強さによって照度センサが発した信号データ、及び、人間の感知によって赤外線センサが発した信号データとを分析する。周囲の明るさが設定照度よりも低く、人間が存在すると判断されると、点灯制御回路４０は、タイマー１３の作動によって、点灯及び消灯されるようにランプを制御することで、電気エネルギーが節約される。これは、通常使用される構成であり、詳細な説明は省略する。
【００１９】
また、本発明によるランプ装置は、ソケットが上部と下部とに着脱可能に分離されるように構成してもよい。着脱式の場合は、ソケットは、ランプ３０を備える上部ベース２０と、点灯制御回路４０を有するソケットボディ１０に分離される。このとき、下部に延長されて縦横に突起を有する結合部２１が、上部ベース２０の基板に形成されており、ソケットボディ１０には、突起と一致する結合溝１５が形成されている。従って、ソケットの上部及び下部は、ベースに設けられた結合部２１の突起を結合溝１５に対して差し込み又は分離させるだけで、簡便に組立て及び分解が可能となる。これにより、ランプ装置全体の交換が不要となるため、ランプの寿命が尽きた後にランプの交換をする時や、点灯制御回路部の異常時にランプ装置のメンテナンスをするときに、ユーザは便利であり、かつ経済的である。
【００２０】
このように本発明によるランプ装置が、アパートの通路や階段、トイレ等の様々な場所に取り付けられて、電源がソケットネジ部１１を介してそれに供給されると、夜間又は光を感知する照度センサ１２の感知信号により設定された基準以下の照度であると判断し、かつ、赤外線センサ３１により人間等の対象が感知されたときに、点灯制御回路４０が作動して、電源制御部４３によってランプの点灯及び消灯を制御する。それにより、別体のいかなる点灯スイッチがなくても、その周囲に合わせて適当に設定された所定の時間、又は、人間がその場所にいる間、ランプが自動的に点灯及び消灯されるので、無駄なエネルギー消費が防止され、電気エネルギーが節約される。
【００２１】
以上で説明した本発明は、本発明が属する技術分野で通常の知識を有する者において本発明の技術的思想を逸脱しない範囲内で様々な置換、変更が可能であり、前述した実施の形態に限定されることはない。
【産業上の利用可能性】
【００２２】
このように、本発明は、昼夜を区別する照度センサと、時間を調節するタイマーと、人間を感知する赤外線センサとが、光源としてのランプに一体に備えられて、これにより、それらのセンサは、光量による照度を計測し、又は人間の存在を感知する多機能省エネルギー蛍光ランプ装置である。それにより、ランプの周囲の照度が夜間のように一定の基準以下であったり、人間が存在する場合には、それらのセンサーは、点灯制御回路を作動させるデータ信号を送信することにより、ランプが自動的に点灯及び消灯されるので、構造が簡単で、エネルギー消費の低減が確実になる。さらに、反射笠を付設することによって、ランプから発っせられる熱が遮断され、照明効率を上昇させることができる。その上、別体のセンサがなくても、ソケット型の電球が使用されているいかなる場所にも簡便に装着でき、ユーザの便宜の向上を大いに図ることができる。さらに、ソケットボディが着脱可能な場合は、ランプだけを交換することができるので、経済的でメンテナンスと修理が容易である。
【００２３】
本発明の好ましい態様のこれらの又は他の特徴、外観及び好適な条件は、以下の詳細な記述、添付図面によってより十分に説明されている。
【図面の簡単な説明】
【００２４】
【図１】本発明によるランプ装置の全体的な構成を示す斜視図である。
【図２】本発明によるランプ装置の分解斜視図である。
【図３】本発明の第１の実施の形態によるカバーでランプが覆われたランプ装置の斜視図である。
【図４】本発明のランプ装置の動作のフローチャートである。
【図５】本発明によるランプ装置の電気的構成を示すブロック構成図である。
【図６】本発明のランプ装置によるランプの断面図である。
【符号の説明】
【００２５】
１０  ソケットボディ
１１  ソケットネジ部
１２  照度センサ
１３  タイマー
１４  連結線
１５  結合溝
２０  ベース
２１  結合部
３０  ランプ
３１  赤外線センサ
３２  センサ支持台
３３  高照度反射笠
３４  ランプカバー
４０  制御回路
４１  マイクロプロセッサ
４２  メモリ
４３  電源制御部
【図１】
2007503087.tif 000003
【図２】
2007503087.tif 000004
【図３】
2007503087.tif 000005
【図４】
2007503087.tif 000006
【図５】
2007503087.tif 000007
【図６】
2007503087.tif 000008
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
複数のランプ３０と、一側に前記ランプ３０が固定され、他側にネジ部１１が形成されたソケットボディ１０とから構成されたランプにおいて、
前記ソケットボディ１０に備えられ、周囲の照度を感知する照度センサ１２と；
前記ランプ３０の点灯時間を調節するタイマー１３と；
前記ランプ３０の一側に備えられ、人間の動きを感知する赤外線センサー３１と；
前記ソケットボディ１０に内装され、前記照度センサ１２と、タイマー１３と、赤外線センサ３１の出力信号に基づき、前記ランプ３０の点灯を制御する点灯制御回路４０と；
を含むことを特徴とする自動制御省エネルギーランプ。
【請求項２】
一面には前記複数のランプ３０が固定され、他面には結合部２１が形成されたベース２０を含み、前記ソケットボディ１０には、前記結合部２１と着脱自在な結合溝１５が形成されていることを特徴とする請求項１に記載の自動制御省エネルギーランプ。
【請求項３】
前記複数のランプ３０の間には、所定の長さのセンサ支持台３２が設けられ、該センサ支持台３２は、銀やアルミニウムが蒸着によって成膜された高照度反射笠３３で取り囲まれていることを特徴とする請求項１に記載の自動制御省エネルギーランプ。
【請求項４】
前記赤外線センサ３１は、前記センサ支持台３２の端部に設けられていることを特徴とする請求項３に記載の自動制御省エネルギーランプ。
【請求項５】
前記複数のランプ３０は、プラスチック製又はガラス製の着脱式のランプカバー３４が備えることを特徴とする請求項１乃至請求項４のうち、いずれか１に記載の自動制御省エネルギーランプ。
【請求項６】
前記赤外線センサ３１は、前記ランプカバー３４の外部中央から突出していることを特徴とする請求項５に記載の自動制御省エネルギーランプ。
【請求項７】
前記照度センサ１２は、前記ランプ３０の直射光線が受光されないように、前記ソケットボディ１０に一定の深さ分埋設されるように設けられていることを特徴とする請求項１乃至請求項６のうち、いずれか１に記載の自動制御省エネルギーランプ。
【請求項８】
前記一定の深さは、５ｍｍであることを特徴とする請求項７に記載の自動制御省エネルギーランプ。
【請求項９】
前記複数のランプ３０は、２つ乃至４つであることを特徴とする請求項１乃至請求項８のうち、いずれか１に記載の自動制御省エネルギーランプ。
【請求項１０】
前記ランプ３０は、３波長蛍光物質が塗布された真空バルブであることを特徴とする請求項１乃至請求項９のうち、いずれか１に記載の自動制御省エネルギーランプ。
【請求項１１】
前記ランプ３０は、Ｕ字型又はＩ字型であることを特徴とする請求項１乃至請求項１０のうち、いずれか１に記載の自動制御省エネルギーランプ。
【手続補正２】
【補正対象書類名】明細書
【補正対象項目名】０００９
【補正方法】変更
【補正の内容】
【０００９】
本発明の自動制御省エネルギーランプは、複数のランプ３０と、一側に前記ランプ３０が固定され、他側にネジ部１１が形成されたソケットボディ１０とから構成されたランプにおいて、前記ソケットボディ１０に備えられ、周囲の照度を感知する照度センサ１２と；前記ランプ３０の点灯時間を調節するタイマー１３と；前記ランプ３０の一側に備えられ、人間の動きを感知する赤外線センサー３１と；前記ソケットボディ１０に内装され、前記照度センサ１２と、タイマー１３と、赤外線センサ３１の出力信号に基づき、前記ランプ３０の点灯を制御する点灯制御回路４０と；を含むことを特徴とする。
また、本発明の自動制御省エネルギーランプは、一面には前記複数のランプ３０が固定され、他面には結合部２１が形成されたベース２０を含み、前記ソケットボディ１０には、前記結合部２１と着脱自在な結合溝１５が形成されていることを特徴とする。
また、本発明の自動制御省エネルギーランプは、前記複数のランプ３０の間には、所定の長さのセンサ支持台３２が設けられ、該センサ支持台３２は、銀やアルミニウムが蒸着によって成膜された高照度反射笠３３で取り囲まれていることを特徴とする。
また、本発明の自動制御省エネルギーランプは、前記赤外線センサ３１は、前記センサ支持台３２の端部に設けられていることを特徴とする。
また、本発明の自動制御省エネルギーランプは、前記複数のランプ３０は、プラスチック製又はガラス製の着脱式のランプカバー３４が備えることを特徴とする。
また、本発明の自動制御省エネルギーランプは、前記赤外線センサ３１は、前記ランプカバー３４の外部中央から突出していることを特徴とする。
また、本発明の自動制御省エネルギーランプは、前記照度センサ１２は、前記ランプ３０の直射光線が受光されないように、前記ソケットボディ１０に一定の深さ分埋設されるように設けられていることを特徴とする。
また、本発明の自動制御省エネルギーランプは、前記一定の深さは、５ｍｍであることを特徴とする。
また、本発明の自動制御省エネルギーランプは、前記複数のランプ３０は、２つ乃至４つであることを特徴とする。
また、本発明の自動制御省エネルギーランプは、前記ランプ３０は、３波長蛍光物質が塗布された真空バルブであることを特徴とする。
また、本発明の自動制御省エネルギーランプは、前記ランプ３０は、Ｕ字型又はＩ字型であることを特徴とする。
【国際調査報告】
2007503087.tif 000009